(57)【要約】【課題】  ブーストコンバータへの入力電流をカレントトランスを用いずに測定が可能な電源装置及び照明装置及び電力計測システムを提供する。【解決手段】  ブーストコンバータ１において、スイッチング素子Ｑ１とダイオードブリッジＤＢの低電圧側の出力端との間には第１抵抗Ｒ１が接続され、出力コンデンサＣ１とダイオードブリッジＤＢの低電圧側の出力端との間には第２抵抗Ｒ２が接続され、ブーストコンバータ１の出力端と負荷回路２との間には第３抵抗Ｒ３が接続されている。電流演算部３１は、各抵抗Ｒ１，Ｒ２，Ｒ３の両端電圧に基いて入力電流を演算する。カレントトランスを用いる場合に比べて製造コストの低減及び小型化が可能となる。【選択図】図１
2011096411.tif 000002
【特許請求の範囲】
【請求項１】
直流電源により充電される出力コンデンサ、出力コンデンサに直列に接続されたダイオード、出力コンデンサとダイオードとの直列回路に対して並列に接続されたスイッチング素子、出力コンデンサ及びダイオードの直列回路とスイッチング素子との並列回路と直流電源との間の電路に挿入されたインダクタ、並びに、スイッチング素子を周期的にオンオフ駆動する駆動回路とを有するブーストコンバータと、
スイッチング素子に直列に接続された第１抵抗と、出力コンデンサに直列に接続された第２抵抗と、ブーストコンバータの出力電流の実効値に比例する実効値の電流が流れる位置に接続された第３抵抗と、第１抵抗の両端電圧と第２抵抗の両端電圧と第３抵抗の両端電圧とに基いて、直流電源からブーストコンバータへの入力電流の実効値を演算する電流演算部とを備えることを特徴とする電源装置。
【請求項２】
ブーストコンバータへの入力電圧の実効値を測定する電圧測定手段と、
電圧測定手段によって測定された入力電圧の実効値に電流演算部によって演算された入力電流の実効値を乗じることで直流電源からブーストコンバータへの入力電力を演算する乗算器と、
乗算器によって演算された入力電力を外部に出力する出力部とを備えることを特徴とする請求項１記載の電源装置。
【請求項３】
電流演算部は、第１抵抗と第２抵抗と第３抵抗との各両端電圧をそれぞれＡ／Ｄ変換するＡ／Ｄ変換器と、Ａ／Ｄ変換器によってＡ／Ｄ変換された各両端電圧についてそれぞれ所定時間分の平均値を演算するとともに、得られた各両端電圧の平均値に対してそれぞれ抵抗毎に予め定められた係数を乗じた値を合計することで入力電流の実効値を演算するデジタル回路とを備えることを特徴とする請求項１又は請求項２記載の電源装置。
【請求項４】
請求項１〜３のいずれか１項に記載の電源装置と、ブーストコンバータの出力電力を用いて電気的光源を点灯させる負荷回路とを備えることを特徴とする照明装置。
【請求項５】
請求項２記載の少なくとも１個の電源装置と、
各電源装置の出力部から得られた入力電力の情報を表示する少なくとも１個の表示装置とを備えることを特徴とする電力計測システム。
【発明の詳細な説明】
【技術分野】
【０００１】
本発明は、電源装置及び照明装置及び電力計測システムに関するものである。
【背景技術】
【０００２】
従来から、入力された電力を適宜変換して出力する電源装置として、入力電力を測定するものが提供されている（例えば、特許文献１及び特許文献２参照）。測定された入力電力は、適宜の表示装置によって使用者に報知され、使用者は報知された入力電力を節電のために参考にすることができる。
【０００３】
従来は、入力電力の演算に用いられる入力電流の測定に、カレントトランスが用いられていた。
【先行技術文献】
【特許文献】
【０００４】
【特許文献１】実開昭６４−１３６９５号公報
【特許文献２】特許第３１６８８４２号公報
【発明の概要】
【発明が解決しようとする課題】
【０００５】
しかしながら、カレントトランスは比較的に大型で高価な部品であるので、上記のようにカレントトランスを用いると、大型化や製造コストの増大に繋がっていた。
【０００６】
ここで、本発明者は、ＤＣ−ＤＣコンバータに含まれるスイッチング素子に流れる電流を、スイッチング素子に直列に接続した抵抗により検出することで、カレントトランスを不要とすることを提案している。しかしながら、ブーストコンバータでは、スイッチング素子に流れる電流が入力電流の全てではないので、上記のような抵抗だけでは入力電流を正確に測定することができない。
【０００７】
本発明は、上記事由に鑑みて為されたものであり、その目的は、ブーストコンバータへの入力電流をカレントトランスを用いずに測定が可能な電源装置及び照明装置及び電力計測システムを提供することにある。
【課題を解決するための手段】
【０００８】
請求項１の発明は、直流電源により充電される出力コンデンサ、出力コンデンサに直列に接続されたダイオード、出力コンデンサとダイオードとの直列回路に対して並列に接続されたスイッチング素子、出力コンデンサ及びダイオードの直列回路とスイッチング素子との並列回路と直流電源との間の電路に挿入されたインダクタ、並びに、スイッチング素子を周期的にオンオフ駆動する駆動回路とを有するブーストコンバータと、スイッチング素子に直列に接続された第１抵抗と、出力コンデンサに直列に接続された第２抵抗と、ブーストコンバータの出力電流の実効値に比例する実効値の電流が流れる位置に接続された第３抵抗と、第１抵抗の両端電圧と第２抵抗の両端電圧と第３抵抗の両端電圧とに基いて、直流電源からブーストコンバータへの入力電流の実効値を演算する電流演算部とを備えることを特徴とする。
【０００９】
この発明によれば、抵抗の代わりにカレントトランスを用いて入力電流の実効値を測定する場合に比べ、製造コストの低減や小型化が可能となる。
【００１０】
請求項２の発明は、請求項１の発明において、ブーストコンバータへの入力電圧の実効値を測定する電圧測定手段と、電圧測定手段によって測定された入力電圧の実効値に電流演算部によって演算された入力電流の実効値を乗じることで直流電源からブーストコンバータへの入力電力を演算する乗算器と、乗算器によって演算された入力電力を外部に出力する出力部とを備えることを特徴とする。
【００１１】
請求項３の発明は、請求項１又は請求項２の発明において、電流演算部は、第１抵抗と第２抵抗と第３抵抗との各両端電圧をそれぞれＡ／Ｄ変換するＡ／Ｄ変換器と、Ａ／Ｄ変換器によってＡ／Ｄ変換された各両端電圧についてそれぞれ所定時間分の平均値を演算するとともに、得られた各両端電圧の平均値に対してそれぞれ抵抗毎に予め定められた係数を乗じた値を合計することで入力電流の実効値を演算するデジタル回路とを備えることを特徴とする。
【００１２】
請求項４の発明は、請求項１〜３のいずれか１項に記載の電源装置と、ブーストコンバータの出力電力を用いて電気的光源を点灯させる負荷回路とを備えることを特徴とする。
【００１３】
請求項５の発明は、請求項２記載の少なくとも１個の電源装置と、各電源装置の出力部から得られた入力電力の情報を表示する少なくとも１個の表示装置とを備えることを特徴とする。
【発明の効果】
【００１４】
請求項１の発明は、直流電源により充電される出力コンデンサ、出力コンデンサに直列に接続されたダイオード、出力コンデンサとダイオードとの直列回路に対して並列に接続されたスイッチング素子、出力コンデンサ及びダイオードの直列回路とスイッチング素子との並列回路と直流電源との間の電路に挿入されたインダクタ、並びに、スイッチング素子を周期的にオンオフ駆動する駆動回路とを有するブーストコンバータと、スイッチング素子に直列に接続された第１抵抗と、出力コンデンサに直列に接続された第２抵抗と、ブーストコンバータの出力電流の実効値に比例する実効値の電流が流れる位置に接続された第３抵抗と、第１抵抗の両端電圧と第２抵抗の両端電圧と第３抵抗の両端電圧とに基いて、直流電源からブーストコンバータへの入力電流の実効値を演算する電流演算部とを備えるので、抵抗の代わりにカレントトランスを用いて入力電流の実効値を測定する場合に比べ、製造コストの低減や小型化が可能となる。
【図面の簡単な説明】
【００１５】
【図１】本発明の実施形態を示す回路ブロック図である。
【図２】同上及び図３の例における、ブーストコンバータのスイッチング素子Ｑ１のオンオフ状態と、入力電流ＩＬ１と、スイッチ電流ＩＱ１と、ダイオード電流ＩＤ１、並びに、図３の例における、コンデンサ電流ＩＣ１と、負荷回路のローサイドのスイッチング素子Ｑ３のオンオフ状態と、該スイッチング素子Ｑ３に流れる電流ＩＲ３との時間変化を示す説明図である。
【図３】同上を用いた照明装置の一例を示す回路ブロック図である。
【図４】同上を用いた照明装置の別の例を示す回路ブロック図である。
【図５】同上を用いた照明装置の更に別の例を示す回路ブロック図である。
【図６】同上を用いた電力計測システムの一例を示すブロック図である。
【発明を実施するための形態】
【００１６】
以下、本発明を実施するための最良の形態について、図面を参照しながら説明する。
【００１７】
本実施形態は、図１に示すように、電源スイッチＳＷを介して交流電源ＡＣから入力された交流電力を全波整流する直流電源としてのダイオードブリッジＤＢと、ダイオードブリッジＤＢの直流出力を所定電圧の直流電力に変換するＤＣ−ＤＣコンバータであるブーストコンバータ１と、ブーストコンバータ１の出力電力が入力される負荷回路２とを備える。
【００１８】
ブーストコンバータ１は、一端がダイオードブリッジＤＢの高電圧側の出力端に接続されたインダクタＬ１と、インダクタＬ１の他端にアノードが接続されたダイオードＤ１と、ダイオードＤ１のカソードに一端が接続されるとともに他端がダイオードブリッジＤＢの低電圧側の出力端に接続された出力コンデンサＣ１と、ダイオードＤ１と出力コンデンサＣ１との直列回路に並列に接続されたスイッチング素子Ｑ１と、スイッチング素子Ｑ１をオンオフ駆動する駆動回路１１とを備える。すなわち、スイッチング素子Ｑ１がオンされている期間には出力コンデンサＣ１は充電されるインダクタＬ１にエネルギーが蓄積され、スイッチング素子Ｑ１がオフされている期間にはダイオードブリッジＤＢの出力電圧にインダクタＬ１の両端電圧が重畳された電圧により出力コンデンサＣ１が充電される。ブーストコンバータ１は出力コンデンサＣ１の両端電圧Ｖｄｃを出力電圧としており、駆動回路１１は、出力コンデンサＣ１の両端電圧（以下、「直流出力電圧」と呼ぶ。）Ｖｄｃを所定の目標電圧とするように、スイッチング素子Ｑ１のオンデューティを随時変化させる。
【００１９】
図２に示すように、スイッチング素子Ｑ１がオンされている期間には、インダクタＬ１に流れる電流（以下、「インダクタ電流」と呼ぶ。）ＩＬ１と、スイッチング素子Ｑ１に流れる電流（以下、「スイッチ電流」と呼ぶ。）ＩＱ１とが互いに等しくなり、それぞれ徐々に増加するが、ダイオードＤ１に流れる電流（以下、「ダイオード電流」と呼ぶ。）ＩＤ１は０となる。また、スイッチング素子Ｑ１がオフされている期間には、スイッチ電流ＩＱ１が０となる一方、インダクタ電流ＩＬ１とダイオード電流ＩＤ１とが互いに等しくなり、それぞれ０まで徐々に低下する。
【００２０】
さらに、本実施形態は、各抵抗Ｒ１，Ｒ２，Ｒ３の両端電圧を用いて入力電力を演算する電力測定部３と、電力測定部３によって演算された入力電力を出力する出力部４とを備える。
【００２１】
出力部４は、入力電力の情報を電気信号やワイヤレス信号として外部の装置に送信するものであってもよいし、入力電力の情報を例えば液晶パネルやスピーカ等の適宜の手段を用いて視覚的又は聴覚的に報知するものであってもよい。いずれの場合であっても出力部４は周知技術で実現可能であるので詳細な図示並びに説明は省略する。
【００２２】
以下、本実施形態の特徴である、ダイオードブリッジＤＢからブーストコンバータ１への入力電力（以下、単に「入力電力」と呼ぶ。）を測定する構成について説明する。
【００２３】
入力電力（皮相電力）を得るには、ダイオードブリッジＤＢからブーストコンバータ１への入力電流（すなわちインダクタ電流。以下、単に「入力電流」と呼ぶ。）ＩＬ１の実効値に、ダイオードブリッジＤＢからブーストコンバータ１への入力電圧（以下、単に「入力電圧」と呼ぶ。）Ｖｉｎの実効値を乗算すればよい。
【００２４】
本実施形態では、電流の実効値の合計が入力電流ＩＬ１の実効値となるような複数個所での電流の実効値をそれぞれ検出して合計することで、入力電流ＩＬ１を得ている。詳しく説明すると、ブーストコンバータ１において、スイッチング素子Ｑ１とダイオードブリッジＤＢの低電圧側の出力端との間には第１抵抗Ｒ１が接続され、出力コンデンサＣ１とダイオードブリッジＤＢの低電圧側の出力端との間には第２抵抗Ｒ２が接続され、ブーストコンバータ１の出力端と負荷回路２との間には第３抵抗Ｒ３が接続されている。すなわち、第１抵抗Ｒ１の両端電圧はスイッチ電流ＩＱ１に比例し、第２抵抗Ｒ２の両端電圧は出力コンデンサＣ１に流れる電流（以下、「コンデンサ電流」と呼ぶ。）ＩＣ１に比例し、第３抵抗Ｒ３の両端電圧はブーストコンバータ１の出力電流（以下、単に「出力電流」と呼ぶ。）Ｉｏに比例する。入力電流ＩＬ１はスイッチ電流ＩＱ１とダイオード電流ＩＤ１との和に等しく、ダイオード電流ＩＤ１はコンデンサ電流ＩＣ１と出力電流Ｉｏとの和に等しいから、上記の抵抗Ｒ１，Ｒ２，Ｒ３の両端電圧に基いて入力電流ＩＬ１の演算が可能である。また、ブーストコンバータ１では、駆動回路１１は、スイッチング素子Ｑ１をオフ制御するタイミングを、直流出力電圧Ｖｄｃと目標電圧との差に応じた所定の電流値にスイッチ電流ＩＱ１が達したタイミングとすることが多く、上記構成ではスイッチ電流ＩＱ１の検出用の第１抵抗Ｒ１を、駆動回路１１と電力測定部３とで共用とすることができる。
【００２５】
電力測定部３は、上記の各抵抗Ｒ１，Ｒ２，Ｒ３の両端電圧に抵抗Ｒ１，Ｒ２，Ｒ３毎の適宜の係数を乗じて加算及び平滑化した電圧に応じた出力を生成する電流演算部３１と、入力電圧Ｖｉｎを平滑化した電圧に対して電流演算部３１の出力を乗じることで入力電力を演算する乗算部３２とを有する。ここで、電流演算部３１の出力は入力電流ＩＬ１の実効値を示すものとなるように、上記の抵抗Ｒ１，Ｒ２，Ｒ３毎の係数は決定されている。また、乗算部３２は請求項における電圧測定手段を含んでいる。なお、乗算部３２が電流演算部３１の出力に乗じる電圧は入力電圧Ｖｉｎの実効値に比例しておればよく、入力電圧Ｖｉｎを平滑化した電圧に代えて例えば入力電圧Ｖｉｎのピーク値を用いてもよい。電流演算部３１は、例えば、各抵抗Ｒ１，Ｒ２，Ｒ３の両端電圧をそれぞれ定期的にＡ／Ｄ変換するＡ／Ｄ変換器（図示せず）と、Ａ／Ｄ変換器によってＡ／Ｄ変換された各両端電圧についてそれぞれ所定時間分（つまり所定個数分）の平均値を演算するとともに、得られた各両端電圧の平均値にそれぞれ抵抗Ｒ１，Ｒ２，Ｒ３毎の係数を乗じて加算することで入力電流の実効値を演算するデジタル回路（図示せず）とで構成することができる。上記の所定時間分の両端電圧や、抵抗Ｒ１，Ｒ２，Ｒ３毎の係数は、それぞれ例えば半導体メモリからなる記憶部５に格納することができる。
【００２６】
電流演算部３１は、上記のようにデジタル回路を用いて構成する代わりに、例えば、図３に示すように、各抵抗Ｒ１，Ｒ２，Ｒ３の両端電圧がそれぞれ個別の抵抗Ｒ４，Ｒ５，Ｒ６を介して一端に入力され他端がグランドに接続されたコンデンサＣ２を備えるアナログ回路で構成することもできる。すなわち、コンデンサＣ２の両端電圧が電流演算部３１の出力電圧となる。また、電流演算部３１の各抵抗Ｒ４，Ｒ５，Ｒ６の抵抗値は上記の各係数に対応しており、電流演算部３１の各抵抗Ｒ４，Ｒ５，Ｒ６の抵抗値の比は接続された抵抗Ｒ１，Ｒ２，Ｒ３の抵抗値の比と一致させれば、電流演算部３１の出力電圧（すなわちコンデンサＣ２の両端電圧）は入力電流ＩＬ１の実効値に比例する。この場合、ノイズによる誤差を避けるため、乗算部３２は、電流演算部３１の出力電圧の複数回のサンプリングでの平均値を乗算に用いることが望ましい。前記複数回のサンプリングの結果は、例えば記憶部５に格納することができる。また、図３の例では、負荷回路２と第３抵抗Ｒ３との接続関係が図１の例とは異なっており、負荷回路２は、ブーストコンバータ１の高電圧側の出力端と第３抵抗Ｒ３との間に接続された２個のスイッチング素子Ｑ２，Ｑ３の直列回路と、低電圧側（ローサイド）のスイッチング素子Ｑ３と第３抵抗Ｒ３との直列回路の両端間に接続されるとともに電気的光源としての放電灯ＦＬが接続された共振回路２１と、上記２個のスイッチング素子Ｑ２，Ｑ３を交互にオンオフする駆動回路２２とを備える、周知のハーフブリッジ形のインバータ回路であり、ブーストコンバータ１と電力測定部３と出力部４とともに照明装置６を構成する。すなわち、上記２個のスイッチング素子Ｑ２，Ｑ３が交互にオンオフ駆動されると、共振回路２１と放電灯ＦＬとが構成する共振回路の共振によりブーストコンバータ１の出力電圧Ｖｄｃが交流電圧に変換されて放電灯ＦＬに出力され、この交流電圧によって放電灯ＦＬが点灯される。また、上記のようなハーフブリッジ形のインバータ回路での入力電流（すなわちブーストコンバータ１の出力電流）Ｉｏの平均値は、ローサイドのスイッチング素子Ｑ３に流れる電流の平均値に一致するから、図３の例では第３抵抗Ｒ３をローサイドのスイッチング素子Ｑ３に直列に接続している。図３の例におけるコンデンサ電流ＩＣ１と上記ローサイドのスイッチング素子Ｑ３のオンオフ状態と第３抵抗Ｒ３の電流ＩＲ３との時間変化は、図２に示すようなものとなる。上記のようなハーフブリッジ形のインバータ回路では、駆動回路２２は、高電圧側（ハイサイド）のスイッチング素子Ｑ２をオンするタイミングを、ローサイドのスイッチング素子Ｑ３に流れる電流に基いて決定することが多く、この動作のためにスイッチング素子Ｑ３に流れる電流を検出する手段として第３抵抗Ｒ３を共用とすることができる。
【００２７】
上記構成によれば、電流の測定に抵抗Ｒ１，Ｒ２，Ｒ３を用いていることで、電流の測定にカレントトランスを用いる場合に比べて製造コストの低減や小型化が可能である。
【００２８】
図３の照明装置６の変更例を図４に示す。図４の照明装置６は、ブーストコンバータ１の駆動回路１１と負荷回路２の駆動回路２２とが１チップ化された駆動用集積回路８を備える。図４の照明装置６では、出力部４は、信号線ＳＬに接続され、電力測定部３での演算により得られた入力電力を示す電気信号（以下、「電力通知信号」と呼ぶ。）を、信号線ＳＬを介して外部装置（図示せず）に送信するものである。また、駆動用集積回路８は、放電灯ＦＬの光出力の変更やオンオフといった制御を指示する電気信号（以下、「制御信号」と呼ぶ。）が信号線ＳＬを介して受信されたとき、該制御信号に従って動作する。放電灯ＦＬの光出力の変更は、例えばスイッチング素子Ｑ２，Ｑ３を交互にオンオフする周波数を変更することで実現することができる。出力部４が電力通知信号を送信するタイミングとしては、定期的に入力電力が測定される毎に送信されるようにしてもよいし、入力電力の測定結果をいったん記憶部５に格納するとともに電力通知信号を要求する電気信号が信号線ＳＬを介して受信されたときに記憶部５に格納されている測定結果が送信されるようにしてもよい。
【００２９】
また、負荷回路２が点灯させる電気的光源は上記のような放電灯ＦＬに限られず、有機ＥＬや白熱灯や発光ダイオードといった他の周知の電気的光源を用いてもよい。図５に、電気的光源として発光ダイオードＬＥＤを点灯させる負荷回路２を備えた照明装置６の例を示す。図５の照明装置６の基本構成は図４の照明装置６と共通であるので、共通する部分については説明を省略する。図５の照明装置６の負荷回路２は、一端がブーストコンバータ１の高電圧側の出力端に接続されて他端がスイッチング素子Ｑ４を介して第３抵抗Ｒ３に接続された一次巻線を有するトランスＴ１と、トランスＴ１の二次巻線の両端間に接続されたダイオードＤ２とコンデンサＣ３との直列回路とを備えてコンデンサＣ３の両端を出力端とする周知のフライバックコンバータ２３と、フライバックコンバータ２３の出力電圧を適宜変換して発光ダイオードＬＥＤに出力することにより発光ダイオードＬＥＤを点灯させる電力変換回路２４とを備える。図５の照明装置６の駆動用集積回路８は、スイッチング素子Ｑ４を周期的にオンオフするオンデューティの調整によりフライバックコンバータ２３の出力電圧を制御する駆動回路が、ブーストコンバータ１の駆動回路１１とともに１チップの集積回路に構成されたものである。発光ダイオードＬＥＤを用いる場合、光出力の変更は、間欠点灯のオンデューティの変更によって実現することができる。上記のような照明装置６も周知技術で実現可能であるので、詳細な図示並びに説明は省略する。
【００３０】
図４や図５の照明装置６は、図６に示すように、信号線ＳＬを介して受信される電力通知信号に示された入力電力を表示する外部装置としての表示装置７とともに、電力測定システムを構成することができる。図６の表示装置７は、信号線ＳＬを介して電気信号を送受信する通信部７１と、各種の表示を行う表示部７２と、通信部７１と表示部７２とをそれぞれ制御する制御部７３と、制御部７３が動作に用いるデータが適宜格納される記憶部７４とを備える。通信部７１及び制御部７３はそれぞれ周知の電子回路で実現可能であり、表示部７２は例えば液晶パネルなどの周知の表示装置で実現可能であり、記憶部７４は周知の半導体メモリで実現可能であるといったように、上記の表示装置７は周知技術で実現可能であるので、詳細な図示並びに説明は省略する。また、図６の例では、照明装置６を複数個備え、各照明装置６はそれぞれ電源線ＰＬを介して互いに共通の交流電源ＡＣから交流電力を供給されている。照明装置６に代えて、電気的光源以外の例えば高周波加熱装置等の負荷を動作させる電源装置を電力測定システムに加えてもよい。
【００３１】
さらに、上記の電力測定システムにおいて、表示装置７に制御盤としての機能を付加してもよい。すなわち、負荷を制御するための操作入力を受け付ける操作手段や、人感センサや照度センサのようなセンサが表示装置７に接続され、制御部７３は、操作手段に受け付けられた操作入力やセンサの出力に応じて負荷の制御を指示する制御信号を送信するように通信部７１を制御する。
【００３２】
ここで、例えば電源線ＰＬにおいて電力を測定した場合、その電源線ＰＬに接続された電源装置への入力電力の合計しか測定することができない。これに対し、上記の電力計測システムでは、各照明装置６（各電源装置）でそれぞれ入力電力が測定されるので、例えば電力通知信号が電源装置毎に固有の識別符号（アドレス）や負荷の種別の情報を含む場合には負荷の種別毎に入力電力の総計を演算するといったように、電力通知信号に含まれる情報に応じて、電源線ＰＬに対する接続の形態に拘束されない括り方での消費電力の集計が可能となる。
【００３３】
上記のような、電源装置毎の入力電力の管理や、負荷の個別制御や、多重通信は、いずれも周知技術を用いて実現可能であるので、詳細な説明は省略する。
【００３４】
なお、各電源装置が、上記のように入力電力の測定結果を出力する代わりに、例えば入力電流の積分値が所定値に達したときに駆動回路１１，２２が停止するといったように、入力電流の測定結果を用いた動作を行うようにしてもよい。
【符号の説明】
【００３５】
１  ブーストコンバータ
２  負荷回路
４  出力部
６  照明装置
７  表示装置
３１  電流演算部
３２  乗算部（請求項における電圧検出手段を含む）
Ｃ１  出力コンデンサ
Ｄ１  ダイオード
ＤＢ  ダイオードブリッジ（請求項における直流電源）
ＦＬ  放電灯（請求項における電気的光源）
Ｌ１  インダクタ
ＬＥＤ  発光ダイオード（請求項における電気的光源）
Ｑ１  スイッチング素子
Ｒ１  第１抵抗
Ｒ２  第２抵抗
Ｒ３  第３抵抗
【図１】
2011096411.tif 000003
【図２】
2011096411.tif 000004
【図３】
2011096411.tif 000005
【図４】
2011096411.tif 000006
【図５】
2011096411.tif 000007
【図６】
2011096411.tif 000008